【手続補正書】
【提出日】平成18年1月11日(2006.1.11)
【手続補正１】
【補正対象書類名】明細書
【補正対象項目名】発明の名称
【補正方法】変更
【補正の内容】
【発明の名称】画像処理方法、画像処理装置、画像処理プログラム、及び記録媒体
【手続補正２】
【補正対象書類名】明細書
【補正対象項目名】特許請求の範囲
【補正方法】変更
【補正の内容】
【特許請求の範囲】
【請求項１】  紙面に印刷された原稿をスキャナ等を用いてデジタル入力して得られるデジタル原画像に対して、裏写りや敷き写りを検出し、補正することで、裏写りや敷き写りを軽減すること特徴とする画像処理方法。
【請求項２】  請求項１に記載の画像処理方法において、入力画像と同じ中間調表現を有する補正画像を合成することで、写真部等の中間調で表現された領域の再現性を向上させることを特徴とする画像処理方法。
【請求項３】  請求項１又は２に記載の画像処理方法において、入力画像中でエッジ強度の強い画素については、入力画像をそのまま出力画像に用いることにより、文字や写真等のエッジを保持することを特徴とする画像処理方法。
【請求項４】  請求項３に記載の画像処理方法において、注目する画素を中心とする特定の大きさのウィンドウ内部における画素値の統計量を用いて、エッジ抽出を行うことにより、網点によるエッジと文字や写真等によるエッジを区別することを特徴とする画像処理方法。
【請求項５】  請求項１乃至４のいずれか１に記載の画像処理方法において、検出された裏写り成分がある特定の閾値を越える場合には、入力画像をそのまま出力画像に用いることを特徴とする画像処理方法。
【請求項６】  請求項５に記載の画像処理方法において、前記閾値は原稿の紙の質ごとに予め統計的に算出しておくことを特徴とした画像処理方法。
【請求項７】  請求項５又は６に記載の画像処理方法において、前記閾値を処理の強度としてユーザ側で設定することを特徴とした画像処理方法。
【請求項８】  紙面に印刷された原稿をスキャナ等を用いてデジタル入力して得られるデジタル原画像に対して、裏写りや敷き写りを検出し、補正することで、裏写りや敷き写りを軽減すること特徴とする画像処理装置。
【請求項９】  請求項８に記載の画像処理装置において、入力画像と同じ中間調表現を有する出力画像を合成することで、写真部等の中間調で表現された領域の再現性を向上させることを特徴とする画像処理装置。
【請求項１０】  請求項８又は９に記載の画像処理装置において、入力画像中でエッジ強度の強い画素については、入力画像をそのまま出力画像に用いることにより、文字や写真等のエッジを保持することを特徴とする画像処理装置。
【請求項１１】  請求項１０に記載の画像処理装置において、注目する画素を中心とする特定の大きさのウィンドウ内部における画素値の統計量を用いて、エッジ抽出を行うことにより、網点によるエッジと文字や写真等によるエッジを区別することを特徴とする画像処理装置。
【請求項１２】  請求項８乃至１１のいずれか１に記載の画像処理装置において、検出された裏写り成分がある特定の閾値を越える場合には、入力画像をそのまま出力画像に用いることを特徴とする画像処理装置。
【請求項１３】  請求項１２に記載の画像処理装置において、前記閾値は原稿の紙の質ごとに予め統計的に算出しておくことを特徴とした画像処理装置。
【請求項１４】  請求項１２又は１３に記載の画像処理装置において、前記閾値を処理の強度としてユーザ側で設定することを特徴とした画像処理装置。
【請求項１５】  紙面に印刷された原稿をスキャナ等を用いてデジタル入力して得られるデジタル原画像に対して、裏写りや敷き写りを検出し、補正することで、裏写りや敷き写りを軽減すること特徴とする画像処理プログラム。
【請求項１６】  請求項１５に記載の画像処理プログラムにおいて、入力画像と同じ中間調表現を有する補正画像を合成することで、写真部等の中間調で表現された領域の再現性を向上させることを特徴とする画像処理プログラム。
【請求項１７】  請求項１５又は１６に記載の画像処理プログラムにおいて、入力画像中でエッジ強度の強い画素については、入力画像をそのまま出力画像に用いることにより、文字や写真等のエッジを保持することを特徴とする画像処理プログラム。
【請求項１８】  請求項１７に記載の画像処理プログラムにおいて、注目する画素を中心とする特定の大きさのウィンドウ内部における画素値の統計量を用いて、エッジ抽出を行うことにより、網点によるエッジと文字や写真等によるエッジを区別することを特徴とする画像処理プログラム。
【請求項１９】  請求項１５乃至１８のいずれか１に記載の画像処理プログラムにおいて、検出された裏写り成分がある特定の閾値を越える場合には、入力画像をそのまま出力画像に用いることを特徴とする画像処理プログラム。
【請求項２０】  請求項１９に記載の画像処理プログラムにおいて、前記閾値は原稿の紙の質ごとに予め統計的に算出しておくことを特徴とした画像処理プログラム。
【請求項２１】  請求項１９又は２０に記載の画像処理プログラムにおいて、前記閾値を処理の強度としてユーザ側で設定することを特徴とした画像処理プログラム。
【請求項２２】  請求項１５乃至２１のいずれか１記載の画像処理プログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、画像処理方法、画像処理装置、画像処理プログラム、及び記録媒体に関し、より詳細には、デジタル画像処理において裏写りや敷き写りを軽減する画像処理方法、画像処理装置、画像処理プログラム、及びそのプログラムを記録したコンピュータ読み取り可能な記録媒体に関する。
【手続補正４】
【補正対象書類名】明細書
【補正対象項目名】０００９
【補正方法】変更
【補正の内容】
【０００９】
本発明は、上述のごとき実情に鑑みてなされたものであり、入力画像が過度に平滑化されることを防ぎつつ、裏写りや敷き写りを軽減することが可能な画像処理方法、画像処理装置、画像処理プログラム、及び記録媒体を提供することをその目的とする。
【手続補正５】
【補正対象書類名】明細書
【補正対象項目名】００１３
【補正方法】変更
【補正の内容】
【００１３】
本発明に係る画像処理は、紙面に印刷された原稿をデジタルスキャナ等を用いてデジタル入力して得られるデジタル原画像に対して、局所的なウィンドウ内部での評価関数の値により、その後に裏写り軽減処理を施すか否かを決めることを特徴とする。
【手続補正６】
【補正対象書類名】明細書
【補正対象項目名】００１４
【補正方法】変更
【補正の内容】
【００１４】
また本発明に係る画像処理は、前記のように裏写り軽減処理を施した領域でも、該領域において検出された裏写り成分が、予め決めておいた閾値よりも大きい場合には、裏写り軽減処理を施さないようにすることで、裏写り補正処理の誤補正を修正する機能を持つことを特徴とする。
【手続補正７】
【補正対象書類名】明細書
【補正対象項目名】００１５
【補正方法】変更
【補正の内容】
【００１５】
また本発明に係る画像処理は、原稿の紙の質ごとに予め該閾値を計算しておくことで、多くの種類の原稿に対応できることを特徴とする。該閾値は処理の強度としてユーザ側で設定することもできる。
【手続補正８】
【補正対象書類名】明細書
【補正対象項目名】００１６
【補正方法】変更
【補正の内容】
【００１６】
請求項１の発明は、紙面に印刷された原稿をスキャナ等を用いてデジタル入力して得られるデジタル原画像に対して、裏写りや敷き写りを検出し、補正することで、裏写りや敷き写りを軽減する画像処理方法である。
【手続補正９】
【補正対象書類名】明細書
【補正対象項目名】００１７
【補正方法】変更
【補正の内容】
【００１７】
請求項２の発明は、請求項１に記載の画像処理方法において、入力画像と同じ中間調表現を有する補正画像を合成することで、写真部等の中間調で表現された領域の再現性を向上させることを特徴としたものである。
【手続補正１０】
【補正対象書類名】明細書
【補正対象項目名】００１８
【補正方法】変更
【補正の内容】
【００１８】
請求項３の発明は、請求項１又は２に記載の画像処理方法において、入力画像中でエッジ強度の強い画素については、入力画像をそのまま出力画像に用いることにより、文字や写真等のエッジを保持することを特徴としたものである。
【手続補正１１】
【補正対象書類名】明細書
【補正対象項目名】００１９
【補正方法】変更
【補正の内容】
【００１９】
請求項４の発明は、請求項３に記載の画像処理方法において、注目する画素を中心とする特定の大きさのウィンドウ内部における画素値の統計量を用いて、エッジ抽出を行うことにより、網点によるエッジと文字や写真等によるエッジを区別することを特徴としたものである。
【手続補正１２】
【補正対象書類名】明細書
【補正対象項目名】００２０
【補正方法】変更
【補正の内容】
【００２０】
請求項５の発明は、請求項１乃至４のいずれか１に記載の画像処理方法において、検出された裏写り成分がある特定の閾値を越える場合には、入力画像をそのまま出力画像に用いることを特徴としたものである。
【手続補正１３】
【補正対象書類名】明細書
【補正対象項目名】００２１
【補正方法】変更
【補正の内容】
【００２１】
請求項６の発明は、請求項５に記載の画像処理方法において、前記閾値は原稿の紙の質ごとに予め統計的に算出しておくことを特徴としたものである。
【手続補正１４】
【補正対象書類名】明細書
【補正対象項目名】００２２
【補正方法】変更
【補正の内容】
【００２２】
請求項７の発明は、請求項５又は６に記載の画像処理方法において、前記閾値を処理の強度としてユーザ側で設定することを特徴としたものである。
【手続補正１５】
【補正対象書類名】明細書
【補正対象項目名】００２３
【補正方法】変更
【補正の内容】
【００２３】
請求項８の発明は、紙面に印刷された原稿をスキャナ等を用いてデジタル入力して得られるデジタル原画像に対して、裏写りや敷き写りを検出し、補正することで、裏写りや敷き写りを軽減する画像処理装置である。
【手続補正１６】
【補正対象書類名】明細書
【補正対象項目名】００２４
【補正方法】変更
【補正の内容】
【００２４】
請求項９の発明は、請求項８に記載の画像処理装置において、入力画像と同じ中間調表現を有する出力画像を合成することで、写真部等の中間調で表現された領域の再現性を向上させることを特徴としたものである。
【手続補正１７】
【補正対象書類名】明細書
【補正対象項目名】００２５
【補正方法】変更
【補正の内容】
【００２５】
請求項１０の発明は、請求項８又は９に記載の画像処理装置において、入力画像中でエッジ強度の強い画素については、入力画像をそのまま出力画像に用いることにより、文字や写真等のエッジを保持することを特徴としたものである。
【手続補正１８】
【補正対象書類名】明細書
【補正対象項目名】００２６
【補正方法】変更
【補正の内容】
【００２６】
請求項１１の発明は、請求項１０に記載の画像処理装置において、注目する画素を中心とする特定の大きさのウィンドウ内部における画素値の統計量を用いて、エッジ抽出を行うことにより、網点によるエッジと文字や写真等によるエッジを区別することを特徴としたものである。
【手続補正１９】
【補正対象書類名】明細書
【補正対象項目名】００２７
【補正方法】変更
【補正の内容】
【００２７】
請求項１２の発明は、請求項８乃至１１のいずれか１に記載の画像処理装置において、検出された裏写り成分がある特定の閾値を越える場合には、入力画像をそのまま出力画像に用いることを特徴としたものである。
【手続補正２０】
【補正対象書類名】明細書
【補正対象項目名】００２８
【補正方法】変更
【補正の内容】
【００２８】
請求項１３の発明は、請求項１２に記載の画像処理装置において、前記閾値は原稿の紙の質ごとに予め統計的に算出しておくことを特徴としたものである。
【手続補正２１】
【補正対象書類名】明細書
【補正対象項目名】００２９
【補正方法】変更
【補正の内容】
【００２９】
請求項１４の発明は、請求項１２又は１３に記載の画像処理装置において、前記閾値を処理の強度としてユーザ側で設定することを特徴としたものである。
【手続補正２２】
【補正対象書類名】明細書
【補正対象項目名】００３０
【補正方法】変更
【補正の内容】
【００３０】
請求項１５の発明は、紙面に印刷された原稿をスキャナ等を用いてデジタル入力して得られるデジタル原画像に対して、裏写りや敷き写りを検出し、補正することで、裏写りや敷き写りを軽減する画像処理プログラムである。
【手続補正２３】
【補正対象書類名】明細書
【補正対象項目名】００３１
【補正方法】変更
【補正の内容】
【００３１】
請求項１６の発明は、請求項１５に記載の画像処理プログラムにおいて、入力画像と同じ中間調表現を有する補正画像を合成することで、写真部等の中間調で表現された領域の再現性を向上させる画像処理プログラムである。
【手続補正２４】
【補正対象書類名】明細書
【補正対象項目名】００３２
【補正方法】変更
【補正の内容】
【００３２】
請求項１７の発明は、請求項１５又は１６に記載の画像処理プログラムにおいて、入力画像中でエッジ強度の強い画素については、入力画像をそのまま出力画像に用いることにより、文字や写真等のエッジを保持する画像処理プログラムである。
【手続補正２５】
【補正対象書類名】明細書
【補正対象項目名】００３３
【補正方法】変更
【補正の内容】
【００３３】
請求項１８の発明は、請求項１７に記載の画像処理プログラムにおいて、注目する画素を中心とする特定の大きさのウィンドウ内部における画素値の統計量を用いて、エッジ抽出を行うことにより、網点によるエッジと文字や写真等によるエッジを区別する画像処理プログラムである。
【手続補正２６】
【補正対象書類名】明細書
【補正対象項目名】００３４
【補正方法】変更
【補正の内容】
【００３４】
請求項１９の発明は、請求項１５乃至１８のいずれか１に記載の画像処理プログラムにおいて、検出された裏写り成分がある特定の閾値を越える場合には、入力画像をそのまま出力画像に用いる画像処理プログラムである。
【手続補正２７】
【補正対象書類名】明細書
【補正対象項目名】００３５
【補正方法】変更
【補正の内容】
【００３５】
請求項２０の発明は、請求項１９に記載の画像処理プログラムにおいて、前記閾値は原稿の紙の質ごとに予め統計的に算出しておくことを特徴とした画像処理プログラムである。
【手続補正２８】
【補正対象書類名】明細書
【補正対象項目名】００３６
【補正方法】変更
【補正の内容】
【００３６】
請求項２１の発明は、請求項１９又は２０に記載の画像処理プログラムにおいて、前記閾値を処理の強度としてユーザ側で設定することを特徴とした画像処理プログラムである。
【手続補正２９】
【補正対象書類名】明細書
【補正対象項目名】００３７
【補正方法】変更
【補正の内容】
【００３７】
請求項２２の発明は、請求項１５乃至２１のいずれか１記載の画像処理プログラムを記録したコンピュータ読み取り可能な記録媒体である。
【手続補正３０】
【補正対象書類名】明細書
【補正対象項目名】００３８
【補正方法】変更
【補正の内容】
【００３８】
【発明の実施の形態】
図１は、本発明の一実施形態による画像処理装置を説明するためのモジュール構成図である。本実施形態において、スキャナ，デジタルカメラ等の画像入力機器１から入力された画像は、ＲＡＭ６に蓄積される。また後述する一連の処理はＲＯＭ７に蓄積されたプログラムをＣＰＵ５が読み出すことによって実行される。また処理の途中経過や途中結果はＣＲＴ等の表示装置２を通じてユーザに提示され、必要な場合にはキーボード３からユーザが処理に必要なパラメータを入力指定する。後述する処理の実行中に作られる中間データはＲＡＭ６に蓄積され、必要に応じてＣＰＵ５によって読み出し、修正・書き込みが行われる。一連の処理の結果として生成された画像は、その後の画像処理に使用されるか、もしくはＲＡＭ６から読み出されて、画像印刷機器（プリンタ）４に出力される。
【手続補正３１】
【補正対象書類名】明細書
【補正対象項目名】００３９
【補正方法】変更
【補正の内容】
【００３９】
図２は、本発明の一実施形態に係る画像処理方法を説明するためのフロー図である。本発明は主にデジタル複写機の中の画像処理に相当する。本発明の後には色補正等、通常の複写機における処理が行われる。
【手続補正３２】
【補正対象書類名】明細書
【補正対象項目名】００４０
【補正方法】変更
【補正の内容】
【００４０】
スキャナ１によって画像が入力された後（ステップＳ１）、その画像に、局所適応的平滑化等の平滑化処理を行う（ステップＳ２）。次に、裏写り補正等のコピアの画像処理を行う（ステップＳ３）。この画像処理の後、補正画像を合成する補正画像合成処理を施し（ステップＳ４）、画像をプリンタ等で出力する（ステップＳ５）。ここで、裏写り補正処理、すなわち裏写り除去処理は、例えば、特願平１１−３５４４１２号及び特願２０００−２３４３３号明細書に記載の方法を用いる。
【手続補正３３】
【補正対象書類名】明細書
【補正対象項目名】００５２
【補正方法】変更
【補正の内容】
【００５２】
本発明の画像処理の後には例えば孤立点除去や色補正、領域識別等の通常のコピア搭載の画像処理が施される。
【手続補正３４】
【補正対象書類名】明細書
【補正対象項目名】００５４
【補正方法】変更
【補正の内容】
【００５４】
以上、本発明の画像処理方法及び装置を説明してきたが、本発明の実施形態としては、図１を用いた説明で触れたように、コンピュータに、これらの画像処理方法を実行させるための、或いは画像処理装置として機能させるための画像処理プログラム、及び該プログラムを記録したコンピュータ読み取り可能な記録媒体としても可能である。
【手続補正３５】
【補正対象書類名】明細書
【補正対象項目名】図面の簡単な説明
【補正方法】変更
【補正の内容】
【図面の簡単な説明】
【図１】  本発明の一実施形態による画像処理装置を説明するためのモジュール構成図である。
【図２】  本発明の一実施形態に係る画像処理方法を説明するためのフロー図である。
【図３】  裏写り補正画像合成処理を詳細に説明するためのフロー図である。
【図４】  方位選択性を持つ小ウィンドウを説明するための図である。
【図５】  中間調領域に生じた裏写りの例を示す図である。
【図６】  従来の裏写り軽減処理を施した後の出力画像の例を示す図である。
【図７】  図４の方法によるエッジ抽出の例を示す図である。
【図８】  裏写り軽減処理及び補正画像合成処理を施した後の出力画像の例を示す図である。
【符号の説明】
１…画像入力機器（スキャナ）、２…表示装置、３…キーボード、４…画像印刷機器（プリンタ）、５…ＣＰＵ、６…ＲＡＭ、７…ＲＯＭ。
【手続補正３６】
【補正対象書類名】図面
【補正対象項目名】図２
【補正方法】変更
【補正の内容】
【図２】
2002252766.tif 000001